(57)【要約】【課題】移動局装置が同一のＰＵＳＣＨを用いて複数の上りリンクデータを基地局装置に送信する移動局装置において、移動局装置が一部の上りリンクデータを無効にする上りリンクグラントを受信した場合に、効率的にＨＡＲＱを行なうこと【解決手段】物理上りリンク共用チャネルを用いた複数の上りリンクデータ送信を制御する下りリンク制御情報を検出し、前記下りリンク制御情報が前記上りリンクデータ送信の無効を指示している場合には、前記上りリンクデータ送信を無効とし、前記上りリンクデータ送信に対応するＨＡＲＱプロセスにＡＣＫをセットする。【選択図】図５
2014140218.tif 000002
【特許請求の範囲】
【請求項１】
基地局装置と通信する移動局装置において、
単一のＰＵＳＣＨを用いた第１および第２のトランスポートブロックの送信を制御するために用いられる下りリンク制御情報フォーマットが、第２のトランスポートブロックの送信の無効を指示する場合、前記第２のトランスポートブロックの送信を無効にするとともに、前記第２のトランスポートブロックに対応するＨＡＲＱプロセスのＨＡＲＱバッファに前記第２のトランスポートブロックを保持し、前記第２のトランスポートブロックの送信の無効を指示する前記下りリンク制御情報フォーマットを検出した後に、前記第２のトランスポートブロックに対する再送信を指示する下りリンク制御情報フォーマットを検出した場合には、前記第２のトランスポートブロックに対する再送信を指示する下りリンク制御情報フォーマットに基づいて前記第２のトランスポートブロックを再送信する手段を有することを特徴とする移動局装置。
【請求項２】
前記請求項１において、前記第２のトランスポートブロックの送信の無効を指示する下りリンク制御情報フォーマットを検出した後、無効であるトランスポートブロックに対するＰＨＩＣＨを介したＨＡＲＱインディケータの受信を行わないことを特徴とする移動局装置。
【請求項３】
基地局装置と通信する移動局装置における処理方法において、
単一のＰＵＳＣＨを用いた第１および第２のトランスポートブロックの送信を制御するために用いられる下りリンク制御情報フォーマットが、第２のトランスポートブロックの送信の無効を指示する場合、前記移動局装置は、前記第２のトランスポートブロックの送信を無効にするとともに、前記第２のトランスポートブロックに対応するＨＡＲＱプロセスのＨＡＲＱバッファに前記第２のトランスポートブロックを保持し、前記第２のトランスポートブロックの送信の無効を指示する前記下りリンク制御情報フォーマットを検出した後に、前記第２のトランスポートブロックに対する再送信を指示する下りリンク制御情報フォーマットを検出した場合には、前記第２のトランスポートブロックに対する再送信を指示する下りリンク制御情報フォーマットに基づいて前記第２のトランスポートブロックを再送信することを特徴とする処理方法。
【請求項４】
前記請求項３において、前記第２のトランスポートブロックの送信の無効を指示する下りリンク制御情報フォーマットを検出した後、無効であるトランスポートブロックに対するＰＨＩＣＨを介したＨＡＲＱインディケータの受信を行わないことを特徴とする処理方法。
【請求項５】
基地局装置と通信する移動局装置に実装されるし集積回路において、
単一のＰＵＳＣＨを用いた第１および第２のトランスポートブロックの送信を制御するために用いられる下りリンク制御情報フォーマットが、第２のトランスポートブロックの送信の無効を指示する場合、前記第２のトランスポートブロックの送信を無効にするとともに、前記第２のトランスポートブロックに対応するＨＡＲＱプロセスのＨＡＲＱバッファに前記第２のトランスポートブロックを保持し、前記第２のトランスポートブロックの送信の無効を指示する前記下りリンク制御情報フォーマットを検出した後に、前記第２のトランスポートブロックに対する再送信を指示する下りリンク制御情報フォーマットを検出した場合には、前記第２のトランスポートブロックに対する再送信を指示する下りリンク制御情報フォーマットに基づいて前記第２のトランスポートブロックを再送信することを特徴とする集積回路。
【発明の詳細な説明】
【技術分野】
【０００１】
本発明は、移動局装置、無線通信方法および集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access （EUTRA）」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００３】
ＬＴＥでは、受信側で復号に失敗したデータが破棄されずに再送信されたデータと組み合わせて復号されるＨＡＲＱ（Hybrid Automatic Repeat reQuest）が用いられる。基地局装置は、ＰＤＣＣＨ（Physical Downlink Control Channel）で送信される上りリンクグラント（UL grant）およびＰＨＩＣＨ（Physical HARQ Indicator Channel）で送信されるＨＡＲＱインディケータを用いて上りリンクデータ（または、「uplink shared channel: UL-SCH」またはトランスポートブロックと称する。）送信用のチャネルであるＰＵＳＣＨ（Physical Uplink Shared Channel）の初期送信または再送信を移動局装置に指示する。
【０００４】
基地局装置は、移動局装置が送信するＰＵＳＣＨを受信し、上りリンクデータの復号の成否を示すＨＡＲＱインディケータをＰＨＩＣＨ（Physical HARQ Indicator Channel）で送信する。ＨＡＲＱインディケータは、ＡＣＫ（ACKnowledgement）またはＮＡＣＫ（Negative ACKnowledgement）を示す。基地局装置が上りリンクデータの復号に成功した場合は、ＨＡＲＱインディケータはＡＣＫを示し、基地局装置が上りリンクデータの復号に失敗した場合は、ＨＡＲＱインディケータはＮＡＣＫを示す。移動局装置は、ＰＨＩＣＨで受信したＨＡＲＱインディケータでＮＡＣＫを示された場合、または上りリンクグラントでＰＵＳＣＨの再送信を指示された場合にＰＵＳＣＨの再送信を行なう。基地局装置は、上りリンクデータの最大送信回数を移動局装置に設定することができる。移動局装置は、上りリンクデータの送信回数が最大送信回数に達した場合、上りリンクデータをＨＡＲＱバッファから消去する。
【０００５】
３ＧＰＰでは、ＬＴＥより広帯域な周波数帯域および上りリンクにおいて複数の送受信アンテナを利用して、さらに高速なデータの通信を実現する無線アクセス方式および無線ネットワーク（以下、「Long Term Evolution-Advanced （LTE-A）」、または、「Advanced Evolved Universal Terrestrial Radio Access （A-EUTRA）」と称する。）が検討されている。ＬＴＥ−Ａでは、ＬＴＥとの後方互換性（backward compatibility）を持つこと、つまり、ＬＴＥ−Ａの基地局装置が、ＬＴＥ−ＡおよびＬＴＥ両方の移動局装置と同時に無線通信を行なうこと、およびＬＴＥ−Ａの移動局装置が、ＬＴＥ−ＡおよびＬＴＥ両方の基地局装置と無線通信を行えるようにすることが求められており、ＬＴＥ−ＡはＬＴＥと同一のチャネル構造を用いることが検討されている。
【０００６】
ＬＴＥ−Ａでは、上りリンクの周波数利用効率を向上させるためにＰＵＳＣＨにＭＩＭＯ（Multiple Input Multiple Output）ＳＭ（Spatial Multiplexing）を用いることが検討されている。ＭＩＭＯ  ＳＭを用いることで、移動局装置は１つのＰＵＳＣＨに複数の上りリンクデータを空間多重して送信することができる。非特許文献１には、同一のＰＵＳＣＨで送信された複数の上りリンクデータ毎に独立してＨＡＲＱを行なうことが記載されている。同一のＰＵＳＣＨで送信された複数の上りリンクデータ毎に独立してＨＡＲＱを行なうには、基地局装置が上りリンクデータ毎にＨＡＲＱインディケータを送信し、上りリンクデータ毎に初期送信か再送信かを示すＨＡＲＱに関連する情報を同一の上りリンクグラントに含めて送信する。非特許文献２は、上りリンクにＭＩＭＯ  ＳＭを用いる際に、同一のＰＵＳＣＨに空間多重された複数の上りリンクデータ毎に独立したＨＡＲＱプロセスを実行することを提案している。
【０００７】
非特許文献３では、同一のＰＵＳＣＨで複数の上りリンクグラントの送信を指示できる上りリンクグラント（UL grant）に含まれる情報を特定のコードポイント（値）にセットすることで、一部の上りリンクデータを無効（disable）にすることが提案されている。移動局装置は、基地局装置によって一部の上りリンクデータを無効にされた場合には、受信した上りリンクグラントに従って無効にされなかった上りリンクデータをＰＵＳＣＨで送信する。
【先行技術文献】
【非特許文献】
【０００８】
【非特許文献１】"Investigation of Layer Shifting and HARQ Spatial Bundling for UL SU-MIMO", 3GPP TSG RAN WG1 Meeting #60, R1-101655, February 22-26, 2010.
【非特許文献２】"Introduction of UL spatial multiplexing in MAC", 3GPP TSG RAN WG2 Meeting #71bis, R2-105464, October 11-15, 2010.
【非特許文献３】"UL SU-MIMO transmission modes and control signalling", 3GPP TSG RAN WG1 Meeting #62bis, R1-105535, October 11-15, 2010.
【発明の概要】
【発明が解決しようとする課題】
【０００９】
しかしながら、従来の技術では、移動局装置が一部の上りリンクデータを無効にする上りリンクグラントを受信した場合に、移動局装置がどのような動作をするかが不明確であった。基地局装置が送信した上りリンクグラントおよびＨＡＲＱインディケータによって移動局装置がどのように動作するかが不明確であると、基地局装置と移動局装置間で正確なＨＡＲＱを実行することができないという問題がある。
【００１０】
本発明は上記の点に鑑みてなされたものであり、その目的は、移動局装置が同一のＰＵＳＣＨを用いて複数の上りリンクデータを基地局装置に送信する移動局装置において、移動局装置が一部の上りリンクデータを無効にする上りリンクグラントを受信した場合に、効率的にＨＡＲＱを行なうことができる移動局装置、無線通信方法および集積回路を適用することを目的とする。
【課題を解決するための手段】
【００１１】
上記の目的を達成するために、次のように手段を講じた。即ち、（１）基地局装置と通信する移動局装置において、単一のＰＵＳＣＨを用いた第１および第２のトランスポートブロックの送信を制御するために用いられる下りリンク制御情報フォーマットが、第２のトランスポートブロックの送信の無効を指示する場合、前記第２のトランスポートブロックの送信を無効にするとともに、前記第２のトランスポートブロックに対応するＨＡＲＱプロセスのＨＡＲＱバッファに前記第２のトランスポートブロックを保持し、前記第２のトランスポートブロックの送信の無効を指示する前記下りリンク制御情報フォーマットを検出した後に、前記第２のトランスポートブロックに対する再送信を指示する下りリンク制御情報フォーマットを検出した場合には、前記第２のトランスポートブロックに対する再送信を指示する下りリンク制御情報フォーマットに基づいて前記第２のトランスポートブロックを再送信する手段を有することを特徴としている。
【００１２】
（２）前記（１）において、前記第２のトランスポートブロックの送信の無効を指示する下りリンク制御情報フォーマットを検出した後、無効であるトランスポートブロックに対するＰＨＩＣＨを介したＨＡＲＱインディケータの受信を行わないことを特徴としている。
【００１３】
（３）基地局装置と通信する移動局装置における処理方法において、単一のＰＵＳＣＨを用いた第１および第２のトランスポートブロックの送信を制御するために用いられる下りリンク制御情報フォーマットが、第２のトランスポートブロックの送信の無効を指示する場合、前記移動局装置は、前記第２のトランスポートブロックの送信を無効にするとともに、前記第２のトランスポートブロックに対応するＨＡＲＱプロセスのＨＡＲＱバッファに前記第２のトランスポートブロックを保持し、前記第２のトランスポートブロックの送信の無効を指示する前記下りリンク制御情報フォーマットを検出した後に、前記第２のトランスポートブロックに対する再送信を指示する下りリンク制御情報フォーマットを検出した場合には、前記第２のトランスポートブロックに対する再送信を指示する下りリンク制御情報フォーマットに基づいて前記第２のトランスポートブロックを再送信することを特徴としている。
【００１４】
（４）前記（３）において、前記第２のトランスポートブロックの送信の無効を指示する下りリンク制御情報フォーマットを検出した後、無効であるトランスポートブロックに対するＰＨＩＣＨを介したＨＡＲＱインディケータの受信を行わないことを特徴としている。
【００１５】
（５）基地局装置と通信する移動局装置に実装されるし集積回路において、単一のＰＵＳＣＨを用いた第１および第２のトランスポートブロックの送信を制御するために用いられる下りリンク制御情報フォーマットが、第２のトランスポートブロックの送信の無効を指示する場合、前記第２のトランスポートブロックの送信を無効にするとともに、前記第２のトランスポートブロックに対応するＨＡＲＱプロセスのＨＡＲＱバッファに前記第２のトランスポートブロックを保持し、前記第２のトランスポートブロックの送信の無効を指示する前記下りリンク制御情報フォーマットを検出した後に、前記第２のトランスポートブロックに対する再送信を指示する下りリンク制御情報フォーマットを検出した場合には、前記第２のトランスポートブロックに対する再送信を指示する下りリンク制御情報フォーマットに基づいて前記第２のトランスポートブロックを再送信することを特徴としている。
【発明の効果】
【００１６】
この発明によれば、移動局装置が同一のＰＵＳＣＨを用いて複数の上りリンクデータを基地局装置に送信する移動局装置において、移動局装置が一部の上りリンクデータを無効にする上りリンクグラントを受信した場合に、効率的にＨＡＲＱを行なうことができる。
【図面の簡単な説明】
【００１７】
【図１】本発明に係る無線通信システムの概念図である。
【図２】本発明におけるＤＣＩフォーマット４内のフィールドにマップされる情報の一例を説明する図である。
【図３】本発明の上りリンクのＨＡＲＱプロセスを説明するための概略図である。
【図４】本発明のＨＡＲＱプロセスの動作を示すフローチャート図である。
【図５】本発明の移動局装置１の構成を示す概略ブロック図である。
【図６】本発明の変換部１１１の構成を示す概略ブロック図である。
【図７】本発明の基地局装置３の構成を示す概略ブロック図である。
【発明を実施するための形態】
【００１８】
以下、図面を参照しながら本発明の実施形態について詳しく説明する。
【００１９】
図１は、本発明に係る無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が割り当てられることを示す。
【００２０】
また、図１は、移動局装置１Ａ〜１Ｃから基地局装置３への無線通信（上りリンク）では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が割り当てられることを示す。以下、移動局装置１Ａ〜１Ｃを移動局装置１という。
【００２１】
基地局装置３と移動局装置１が上記チャネルおよび信号を用いて通信可能な範囲をセルと称する。また、基地局装置３は移動局装置１と上記チャネルおよび信号を用いて通信可能な範囲を複数に分割して複数のセルを構成してもよい。また、基地局装置３は、周波数領域において帯域を複数に分割して複数のセルを構成してもよい。
【００２２】
同期信号は、移動局装置１が下りリンクの周波数領域および時間領域の同期をとるために用いられる信号である。下りリンク参照信号は、移動局装置１が下りリンクの周波数領域および時間領域の同期をとるために用いられたり、移動局装置１が下りリンクの受信品質を測定するために用いられたり、移動局装置１がＰＤＳＣＨやＰＤＣＣＨの伝搬路補正を行なうために用いられる信号である。ＰＢＣＨは、移動局装置１で共通に用いられる制御パラメータ（システム情報）（Broadcast Channel: BCH）を報知するために用いられる物理チャネルである。ＰＢＣＨは、４０ms間隔で送信される。４０ms間隔のタイミングは、移動局装置１においてブラインド検出（blind detection）される。
【００２３】
ＰＤＣＣＨは、下りリンクアサインメント（downlink assignment、またはdownlink grantとも称する。）や上りリンクグラント（uplink grant）などの下りリンク制御情報（Downlink Control Information: DCI）を送信するために用いられる物理チャネルである。下りリンクアサインメントは、ＰＤＳＣＨに対する変調方式および符号化率に関する情報（Modulation and Coding Scheme: MCS）、無線リソースの割り当てを示す情報などから構成される。上りリンクグラントは、ＰＵＳＣＨに対する変調方式および符号化率に関する情報、無線リソースの割り当てを示す情報などから構成される。
【００２４】
下りリンク制御情報には複数のフォーマットが用いられる。下りリンク制御情報のフォーマットをＤＣＩフォーマット（DCI format）と呼ぶ。例えば、上りリンクグラントのＤＣＩフォーマットは、移動局装置１がＰＵＳＣＨを１つの送信アンテナポートで送信する場合に用いられるＤＣＩフォーマット０、移動局装置１がＰＵＳＣＨにＭＩＭＯ  ＳＭ（Multiple Input Multiple Output Spatial Multiplexing）を用いて複数の上りリンクデータを送信する場合に用いられるＤＣＩフォーマット４などが用意される。本発明では、単一の（１つの）ＰＵＳＣＨに２つの上りリンクデータが空間多重されるが、２より多い数の上りリンクデータが空間多重されてもよい。移動局装置１は、ＰＤＣＣＨに対してＤＣＩフォーマット０とＤＣＩフォーマット４を同時に監視し、ＤＣＩフォーマット０を検出した場合はＰＵＳＣＨを１つの送信アンテナポートを用いて送信し、ＤＣＩフォーマット４を検出した場合はＰＵＳＣＨを複数の送信アンテナポート（ＭＩＭＯ  ＳＭ）を用いてＰＵＳＣＨを送信する。
【００２５】
ＭＩＭＯ  ＳＭとは、複数の送信アンテナポートおよび複数の受信アンテナポートにより実現される複数の空間次元のチャネルに対して複数の信号が多重されて送受信が行なわれる技術である。ここで、アンテナポートとは信号処理に用いられる論理的なアンテナのことを示す、１つのアンテナポートは１つの物理的なアンテナにより構成されてもよいし、複数の物理的なアンテナにより構成されてもよい。ＭＩＭＯ  ＳＭを用いた送信側では、複数の信号に対して適切な空間チャネルを形成するための処理（プリコーディング（precoding）と称す）が行われて、プリコーディングの処理が行なわれた複数の信号を複数の送信アンテナを用いて送信する。ＭＩＭＯ  ＳＭを用いた受信側では、複数の受信アンテナを用いて受信された複数の信号に対して空間次元のチャネルで多重された信号を適切に分離するための処理が行なわれる。
【００２６】
ＰＤＳＣＨは、ページング情報（Paging Channel: PCH）やＰＢＣＨで報知されない、つまりＢＣＨ以外のシステム情報や下りリンクデータ（Downlink Shared Channel: DL-SCH）を送信するために用いられる物理チャネルである。ＰＭＣＨは、ＭＢＭＳ（Multimedia Broadcast and Multicast Service）に関する情報（Multicast Channel: MCH）を送信するために用いられる物理チャネルである。ＰＣＦＩＣＨは、ＰＤＣＣＨが配置される領域を示す情報を送信するために用いられる物理チャネルである。ＰＨＩＣＨは、基地局装置３が受信した１つの上りリンクデータの復号の成否を示すＨＡＲＱインディケータを送信するために用いられる物理チャネルである。基地局装置３が同一のＰＵＳＣＨで複数の空間多重された上りリンクデータを受信した場合は、受信した上りリンクデータ毎に対するＰＨＩＣＨを移動局装置１へ送信する。
【００２７】
基地局装置３がＰＵＳＣＨに含まれる上りリンクデータの復号に成功した場合は、ＨＡＲＱインディケータはＡＣＫ（ACKnowledgement）を示し、基地局装置３がＰＵＳＣＨに含まれる上りリンクデータの復号に失敗した場合は、ＨＡＲＱインディケータはＮＡＣＫ（Negative ACKnowledgement）を示す。
【００２８】
上りリンク参照信号は、基地局装置３が上りリンクの時間領域の同期をとるために用いられたり、基地局装置３が上りリンクの受信品質を測定するために用いられたり、基地局装置３がＰＵＳＣＨやＰＵＣＣＨの伝搬路補正を行なうために用いられる信号である。上りリンク参照信号は、符号多重が用いられ、複数の異なる符号が用いられる。例えば、複数の異なる符号は予め決められた基礎系列を周期的にシフト（サイクリックシフトと称す）することにより生成され、異なるシフト量のサイクリックシフトにより異なる符号が生成される。
【００２９】
ＰＵＣＣＨは、下りリンクのチャネル品質を示すチャネル品質情報（Channel Quality Information）、上りリンクの無線リソースの割り当ての要求を示すスケジューリング要求（Scheduling Request: SR）、移動局装置１が受信した下りリンクデータの復号の成否を示すＡＣＫ／ＮＡＣＫなど、通信の制御に用いられる情報である上りリンク制御情報（Uplink Control Information: UCI）を送信するために用いられる物理チャネルである。
【００３０】
ＰＵＳＣＨは、上りリンクデータや上りリンク制御情報を送信するために用いられる物理チャネルである。ＰＲＡＣＨは、ランダムアクセスプリアンブルを送信するために使用される物理チャネルである。ＰＲＡＣＨは、移動局装置１が基地局装置３と時間領域の同期をとることを最大の目的とし、その他に、初期アクセス、ハンドオーバ、再接続要求、および上りリンクの無線リソースの割り当ての要求に用いられる。
【００３１】
上りリンクデータ（ＵＬ−ＳＣＨ）および下りリンクデータ（ＤＬ−ＳＣＨ）などは、トランスポートチャネルである。上りリンクデータをＰＵＳＣＨで送信する単位および下りリンクデータをＰＤＳＣＨで送信する単位は、トランスポートブロック（transport block）と呼ばれる。トランスポートブロックは、ＭＡＣ（Media Access Control）層で取り扱われる単位であり、トランスポートブロック毎にＨＡＲＱ（再送信）の制御が行なわれる。また、上りリンクデータ（ＵＬ−ＳＣＨ）および下りリンクデータ（ＤＬ−ＳＣＨ）などのＭＡＣ層で取り扱われるデータの単位のことをＭＡＣ  ＰＤＵ（Protocol Data Unit）とも称する。ＭＡＣ  ＰＤＵは複数のＭＡＣ  ＳＤＵ（Service Data Unit）から構成される。
【００３２】
物理層ではトランスポートブロックはコードワードに対応付けられ、コードワード毎に符号化などの信号処理が行なわれる。トランスポートブロックサイズは、トランスポートブロックのビット数である。移動局装置１は上りリンクグラントや下りリンクアサインメントに含まれる無線リソース割り当てを示す情報によって示される物理リソースブロック（Physical Resource Block; PRB）の数とＭＣＳ（ＭＣＳ＆ＲＶ）からトランスポートブロックサイズを認識する。
【００３３】
以下、本発明のＤＣＩフォーマット４（上りリンクグラント）に含まれる情報について説明する。
【００３４】
図２は、本発明におけるＤＣＩフォーマット４内のフィールドにマップされる情報の一例を説明する図である。図２で示されるフィールドは、図２において、上に記載されているフィールドから順番に情報ビットにマップされる。Resource block assignmentは、ＰＵＳＣＨに割り当てる物理リソースブロック（Physical Resource Block; PRB）を示す情報であり、ビット数（x bit）はセル内で上りリンクの通信に用いられる物理リソースブロックの数から算出される。
【００３５】
TPC（transmission power control）command for scheduled PUSCHはＰＵＳＣＨの送信電力を制御するためのパラメータである。Cyclic shift for DM-RS and OCC indexはＰＵＳＣＨとともに送信される上りリンク参照信号に用いられるサイクリックシフトの量および直交符号（OCC）を算出するためのパラメータである。CQI requestは、この上りリンクグラントによって無線リソース（物理リソースブロック）の割り当てが示されるＰＵＳＣＨが送信されるサブフレームにおいて、いずれか１つのＰＵＳＣＨで下りリンクのチャネル品質情報を送信することを移動局装置１に要求する情報である。
【００３６】
Multi cluster flagは、Resource block assignmentによって物理リソースブロックの割り当てを示す方法を切り替えるための情報である。Multi cluster flagにセットされた値によって、Resource block assignmentによって周波数領域において連続した物理リソースブロックの割り当てが示されるか、非連続な物理リソースブロックの割り当てが示されるかが切り替えられる。
【００３７】
Modulation and coding scheme and redundancy version（ＭＣＳ＆ＲＶ）とNew Data indicator（ＮＤＩ）は、この上りリンクグラントによって無線リソースの割り当てを示されるＰＵＳＣＨにおいて空間多重される上りリンクデータ毎に用意される。図２では、第１のトランスポートブロックと第２のトランスポートブロック（第１のＨＡＲＱプロセスと第２のＨＡＲＱプロセス）それぞれに対してＭＣＳ＆ＲＶとＮＤＩが用意される。ＭＣＳ＆ＲＶは、上りリンクデータの変調方式と符号化方式とリダンダンシーバージョンを示す情報である。ＮＤＩは上りリンクデータの初期送信または再送信を示す情報である。Precoding informationは、この上りリンクグラントによって無線リソースの割り当てを示されるＰＵＳＣＨで送信される信号に用いられるプリコーディングを示す情報である。
【００３８】
移動局装置１はＮＤＩがトグル（toggle）されているか否かによって、基地局装置３からＰＵＳＣＨの初期送信と再送信のどちらを指示されているかを識別する。移動局装置１は、上りリンクグラントを受信した場合は、受信した上りリンクグラントに含まれるＮＤＩを記憶する。このとき、移動局装置１が既にＮＤＩを記憶している場合は、ＮＤＩがトグルされているか判定してから新しいＮＤＩに上書きする。ＮＤＩがトグルされているとは、既に記憶されているＮＤＩと受信されたＮＤＩの値が異なることであり、ＮＤＩがトグルされていないとは、既に記憶されているＮＤＩと受信されたＮＤＩの値が同じであることである。
【００３９】
移動局装置１は、ＮＤＩがトグルされている場合はこの上りリンクグラントがトランスポートブロックの初期送信を指示しているとみなし、ＮＤＩがトグルされていない場合はこの上りリンクグラントがトランスポートブロックの再送信を指示していると判定する。以下、ＮＤＩがトグルされていることを、下りリンク制御情報または上りリンクグラントが初期送信を指示していると称する。以下、ＮＤＩがトグルされていないことを、下りリンク制御情報または上りリンクグラントが再送信を指示していると称する。
【００４０】
以下、本発明のＤＣＩフォーマットへＣＲＣ（Cyclic Redundancy Check）を付加する方法について説明する。
【００４１】
ＤＣＩフォーマットのペイロードには、ＤＣＩフォーマットのペイロードから計算される１６ビットのＣＲＣパリティビットが付加される。ＤＣＩフォーマットのペイロードに付加されたＣＲＣパリティビットは１６ビットのＲＮＴＩ（Radio Network Temporary Identity）でスクランブルされる。ＣＲＣパリティビットが付加されたＤＣＩフォーマットは符号化および変調され、ＰＤＣＣＨで送信される。
【００４２】
ＲＮＴＩは、ＤＣＩフォーマットの種類を判別するため、またはＤＣＩフォーマットの用途を判別するため、またはＤＣＩフォーマットに含まれるＰＤＳＣＨまたはＰＵＳＣＨの無線リソースを割り当てる情報によって無線リソースを割り当てられる移動局装置１を判別するために用いられる。移動局装置１は、同じＤＣＩフォーマットの上りリンクグラントまたは下りリンクアサインメントに付加されているＣＲＣパリティビットが、いずれのＲＮＴＩでスクランブルされているかによってＤＣＩフォーマットの種類や、ＤＣＩフォーマットの用途を判別する。
【００４３】
例えば、ＰＵＳＣＨのリソースを所定の回数（例えば、１回）だけ割り当てる上りリンクグラントに付加されるＣＲＣパリティビットはＣ−ＲＮＴＩ（Cell-Radio Network Temporary Identity）でスクランブルされる。Ｃ−ＲＮＴＩは基地局装置３が移動局装置１それぞれに対して設定する。
【００４４】
以下、本発明のＨＡＲＱプロセスについて説明する。
【００４５】
図３は、本発明の上りリンクのＨＡＲＱプロセスを説明するための概略図である。図３において、横軸は時間領域であり、格子状の線でハッチングがされた四角はＰＨＩＣＨを示し、右斜線でハッチングがされた四角はＰＤＣＣＨ（上りリンクグラント）を示し、灰色が付された四角はＰＵＳＣＨ（上りリンクデータ）を示し、図３のＰＨＩＣＨおよびＰＤＣＣＨおよびＰＵＳＣＨに付された番号０から１５は、各物理チャネルが対応するＨＡＲＱプロセスの番号を示している。本発明では、複数（１６つ）のＨＡＲＱプロセスが独立して同時に動作する。
【００４６】
ＰＵＳＣＨが対応するＨＡＲＱプロセスの番号は上りリンクのサブフレームの番号と対応付けられる。図３では、１つのサブフレーム毎に２つのＨＡＲＱプロセス（第１のトランスポートブロックに対応するＨＡＲＱプロセスと第２のトランスポートブロックに対応するＨＡＲＱプロセス）が対応付けられる。ＤＣＩフォーマット４が対応する第１のトランスポートブロックは０番から７番のＨＡＲＱプロセスに関連しており、ＤＣＩフォーマット４が対応する第２のトランスポートブロックは８番から１５番のＨＡＲＱプロセスに関連している。以下、第１のトランスポートブロックが関連しているＨＡＲＱプロセスを第１のＨＡＲＱプロセス、第２のトランスポートブロックが関連しているＨＡＲＱプロセスを第２のＨＡＲＱプロセスと称する。尚、ＤＣＩフォーマット０は第１のＨＡＲＱプロセスにのみ対応している。つまり、ＤＣＩフォーマット０は第１のトランスポートブロックの制御のみに用いられ、ＤＣＩフォーマット０を第２のトランスポートブロックの制御をすることはできない。
【００４７】
ＰＨＩＣＨおよびＰＤＣＣＨ（上りリンクグラント）が対応するＨＡＲＱプロセスの番号は下りリンクのサブフレームの番号と対応付けられる。１つのサブフレームでは、最大２つのＰＨＩＣＨ（第１のトランスポートブロックに対するＰＨＩＣＨと第２のトランスポートブロックに対するＰＨＩＣＨ）が送信される。１つのサブフレームでは、第１のトランスポートブロックに対するＤＣＩフォーマット０と第１のトランスポートブロックおよび第２のトランスポートブロックに対するＤＣＩフォーマット４は同時に送信されない。
【００４８】
上りリンクと下りリンクでは対応するＨＡＲＱプロセスの番号は４つシフトされている。また、同じＨＡＲＱプロセスに対するＰＨＩＣＨおよびＰＤＣＣＨ（上りリンクグラント）およびＰＵＳＣＨは８ms（８サブフレーム、８ＴＴＩ（Transmission Time Interval））間隔で送信される。
【００４９】
ＨＡＲＱプロセスそれぞれは、１つのバッファ（以下、ＨＡＲＱバッファと称す。）に関連している。移動局装置１は、ＰＵＳＣＨで送信する上りリンクデータを、そのＰＵＳＣＨと対応するＨＡＲＱプロセスのＨＡＲＱバッファに保存し、対応するＰＤＣＣＨで最後に受信した上りリンクグラントを保存する。基地局装置３は、ＰＵＳＣＨで受信し、復号した上りリンクデータをそのＰＵＳＣＨと対応するＨＡＲＱプロセスのＨＡＲＱバッファに保存し、対応するＰＤＣＣＨで最後に送信した上りリンクグラントを保存する。
【００５０】
例えば、図３において、移動局装置１は、ｎ番目の下りリンクのサブフレームで０番と８番のＨＡＲＱプロセスに関する初期送信を指示するＰＤＣＣＨ（上りリンクグラント）を受信し、ｎ＋４番目の上りリンクのサブフレームで、このＰＤＣＣＨ（上りリンクグラント）に従って０番のＨＡＲＱプロセスに関するＰＵＳＣＨと８番のＨＡＲＱプロセスに関するＰＵＳＣＨの初期送信を行なう。移動局装置１は、ｎ＋８番目の下りリンクのサブフレームで０番のＨＡＲＱプロセスに関するＰＨＩＣＨと８番のＨＡＲＱプロセスに関するＰＨＩＣＨおよび／またはＰＤＣＣＨ（上りリンクグラント）を受信し、ｎ＋１２番目の上りリンクのサブフレームで、このＰＨＩＣＨまたはＰＤＣＣＨ（上りリンクグラント）に従って０番および／または８番のＨＡＲＱプロセスに関するＰＵＳＣＨの送信を制御する。
【００５１】
本発明の移動局装置１は、同一のＰＵＳＣＨで２つの上りリンクデータを空間多重することを指示する１つの上りリンクグラントを受信した場合には、空間多重される上りリンクデータそれぞれに対する２つの上りリンクグラントを受信したとみなす。つまり、複数の上りリンクデータに対応する１つの上りリンクグラントを受信した場合には、上りリンクデータそれぞれに対する上りリンクグラントを受信したとみなし、上りリンクデータ毎に独立したＨＡＲＱプロセスを実行する。
【００５２】
図４は、本発明のＨＡＲＱプロセスの動作を示すフローチャート図である。移動局装置１は、ＨＡＲＱプロセス毎に図４の処理を行なう。移動局装置１は、ＨＡＲＱプロセスの処理が開始されると、ＨＡＲＱプロセスに対応するＰＨＩＣＨを受信し、受信したＰＨＩＣＨに含まれるＨＡＲＱインディケータが示すＡＣＫまたはＮＡＣＫをＨＡＲＱフィードバックとしてセットする（ステップＳ１００）。次に移動局装置１は、自装置宛ての上りリンクグラントを検出したか否かを判定する（ステップＳ１０１）。移動局装置１は、上りリンクグラントを検出したと判定した場合は、検出した上りリンクグラントを記憶（store）し、ＨＡＲＱフィードバックとしてＮＡＣＫをセットし（ステップＳ１０２）、記憶した上りリンクグラントに従ってＰＵＳＣＨで上りリンクデータの初期送信または再送信を行なう（ステップＳ１０４）。
【００５３】
移動局装置１は、検出した上りリンクグラントが上りリンクデータの初期送信を指示している場合は、ＨＡＲＱフィードバックとしてセットされているＡＣＫまたはＮＡＣＫに依存せず、ＰＵＳＣＨで送信する新しい上りリンクデータを決定し、この上りリンクデータをＨＡＲＱバッファに記憶し、検出された上りリンクグラントに従ってＰＵＳＣＨで上りリンクデータの初期送信を行なう。
【００５４】
移動局装置１は、検出した上りリンクグラントが上りリンクデータの再送信を指示している場合は、ＨＡＲＱフィードバックとしてセットされているＡＣＫまたはＮＡＣＫに依存せず、ＨＡＲＱバッファに記憶されている上りリンクデータを、検出された上りリンクグラントに従ってＰＵＳＣＨで再送信する。移動局装置１は、ＨＡＲＱバッファが空の場合は、検出した上りリンクグラントが初期送信を指示しているか再送信を指示しているかに依存せず、ＰＵＳＣＨで送信する上りリンクデータを決定し、この上りリンクデータをＨＡＲＱバッファに記憶し、検出された上りリンクグラントに従ってＰＵＳＣＨの初期送信を行なう。
【００５５】
移動局装置１は、ステップＳ１０１において上りリンクグラントを検出しなかったと判定した場合は、ＨＡＲＱフィードバックとしてＡＣＫとＮＡＣＫのどちらがセットされているかを判定する（ステップＳ１０３）。移動局装置１は、ステップＳ１０３においてＨＡＲＱフィードバックとしてＮＡＣＫがセットされており、ＨＡＲＱバッファが空でないと判定した場合は、記憶されている上りリンクグラントに従ってＨＡＲＱバッファに記憶されている上りリンクデータをＰＵＳＣＨで再送信する（ステップＳ１０４）。移動局装置１は、ステップＳ１０３においてＨＡＲＱフィードバックとしてＡＣＫがセットされている、またはＨＡＲＱバッファが空であると判定した場合は、ＰＵＳＣＨの送信を行なわず、ＨＡＲＱプロセスに対応するＨＡＲＱバッファの内容を保持する（ステップＳ１０５）。
【００５６】
移動局装置１は、ステップＳ１０４およびステップＳ１０５の後に、このＨＡＲＱプロセスに対応する次の下りリンクのサブフレームにおいてステップＳ１００に戻り（ステップＳ１０６）、ＨＡＲＱプロセスに対するＰＨＩＣＨを受信する。尚、ＨＡＲＱプロセスに関連するＨＡＲＱバッファが空の場合や、移動局装置１の電源を入れてからＨＡＲＱプロセスが一度も基地局装置３との通信に用いられていない場合や、ＨＡＲＱフィードバックとしてＡＣＫがセットされている場合などは、ステップＳ１００において移動局装置１は、このＨＡＲＱプロセスに対応するＰＨＩＣＨを受信しない。尚、ステップＳ１０５でＨＡＲＱバッファの内容を保持した後に、再送信を指示する上りリンクグラントを受信した場合は、保持されているＨＡＲＱバッファの内容をＰＵＳＣＨで再送信することができる。
【００５７】
移動局装置１が上りリンクデータの再送信を指示する上りリンクグラントを検出し、検出した上りリンクグラントに従って上りリンクデータを再送信することをａｄａｐｔｉｖｅ  ＨＡＲＱと称し、移動局装置１が上りリンクグラントを検出せず、ＨＡＲＱフィードバックにＮＡＣＫがセットされており、既に記憶されている上りリンクグラントに従って上りリンクデータを再送信することをｎｏｎ−ａｄａｐｔｉｖｅ  ＨＡＲＱと称する。尚、本発明では、移動局装置は、単一のサブフレームで初期送信とｎｏｎ−ａｄａｐｔｉｖｅ  ＨＡＲＱ、またａｄａｐｔｉｖｅ  ＨＡＲＱとｎｏｎ−ａｄａｐｔｉｖｅ  ＨＡＲＱを同時に動作させない。
【００５８】
本発明の基地局装置３は、ＭＩＭＯ  ＳＭに対応しているＤＣＩフォーマット４の特定の情報を特定のコードポイント（値）にセットすることで、移動局装置１にＤＣＩフォーマット４に対応する上りリンクデータの送信をしないよう（上りリンクデータ送信を無効（disable）にするよう）指示することができる。本発明では、基地局装置３は上りリンクデータ送信を無効にする場合は、ＤＣＩフォーマット４に含まれる上りリンクデータ送信の無効が指示される上りリンクデータに対するＮＤＩをトグルし、ＭＣＳ＆ＲＶの値を‘２９’にセットする。以下、ある上りリンクデータに対するＮＤＩがトグルされ、ＭＣＳ＆ＲＶの値が‘２９’にセットされていることを、この上りリンクデータ送信の無効が指示されていると称する。
【００５９】
移動局装置１は、１つのＰＵＳＣＨを用いた複数の上りリンクデータ送信を制御するＤＣＩフォーマット４（下りリンク制御情報）を検出し、検出したＤＣＩフォーマット４が上りリンクデータ送信の無効を指示している場合には、上りリンクデータ送信の無効を指示されているＨＡＲＱプロセスにおいて上りリンクデータ送信をせずに、この上りリンクデータ送信に対応するＨＡＲＱプロセスにＡＣＫをセットする。また、移動局装置１は、ＤＣＩフォーマット４によって上りリンクデータ送信が無効であると指示された上りリンクデータをＨＡＲＱバッファに保持する。
【００６０】
例えば、移動局装置１は、検出したＤＣＩフォーマット４が第１のＨＡＲＱプロセスによる上りリンクデータ送信の無効を指示しており、第２のＨＡＲＱプロセスによる上りリンクデータ送信の無効を指示していない場合には、ＤＣＩフォーマット４により無線リソース割り当てが示されたＰＵＳＣＨで第１のＨＡＲＱプロセスによる上りリンクデータ送信をせずに、第２のＨＡＲＱプロセスによる上りリンクデータ送信をし、第１のＨＡＲＱプロセスにＡＣＫをセットし、第２のＨＡＲＱプロセスにＮＡＣＫをセットし、第１のＨＡＲＱに対応するＨＡＲＱバッファおよび第２のＨＡＲＱに対応するＨＡＲＱバッファの内容を保持する。
【００６１】
移動局装置１は、１つのＰＵＳＣＨを用いた複数の上りリンクデータ送信を制御するＤＣＩフォーマット４（下りリンク制御情報）を検出し、検出したＤＣＩフォーマット４が、上りリンクデータ送信の無効を指示し、且つ、この上りリンクデータ送信の無効を指示された上りリンクデータに対するＮＡＣＫ（再送信を要求する応答情報）を受信した場合には、この上りリンクデータ送信を無効とする。
【００６２】
例えば、移動局装置１は、ＤＣＩフォーマット４によって上りリンクデータ送信の無効を指示された上りリンクデータに対するＨＡＲＱインディケータがＡＣＫを示している場合には、この上りリンクデータを送信せずに、対応するＨＡＲＱプロセスにＡＣＫをセットし、ＨＡＲＱバッファの内容を保持する。移動局装置１は、ＤＣＩフォーマット４によって上りリンクデータ送信の無効を指示された上りリンクデータに対するＨＡＲＱインディケータがＮＡＣＫを示している場合には、この上りリンクデータを送信せずに、対応するＨＡＲＱプロセスにＡＣＫをセットし、ＨＡＲＱバッファの内容を保持する。つまり、ＤＣＩフォーマット４によって上りリンクデータ送信が無効であると指示された上りリンクデータは、たとえＨＡＲＱインディケータがＮＡＣＫを示していてもｎｏｎ−ａｄａｐｔｉｖｅ  ＨＡＲＱによる再送信を行なわない。つまり、移動局装置は、単一のサブフレームでｎｏｎ−ａｄａｐｔｉｖｅ  ＨＡＲＱと、ａｄａｐｔｉｖｅ  ＨＡＲＱまたは初期送信の両方を同時に動作させない。
【００６３】
移動局装置１は、単一のＰＵＳＣＨを用いた第１および第２の上りリンクデータ送信（ＨＡＲＱプロセス）を制御するＤＣＩフォーマット４（第１の下りリンク制御情報）を検出し、このＤＣＩフォーマット４が第２の上りリンクデータ送信の無効を指示している場合には、この第２の上りリンクデータの送信を無効にするとともに、この第２の上りリンクデータに対応するＨＡＲＱプロセスのＨＡＲＱバッファにこの第２の上りリンクデータを保持する。移動局装置１は、この第２の上りリンクデータ送信の無効を指示しているＤＣＩフォーマット４（第１の下りリンク制御情報）を検出した後に、この第２の上りリンクデータに対する再送信を指示するＤＣＩフォーマット４（第２の制御情報）を検出した場合には、この第２の上りリンクデータに対する再送信を指示するＤＣＩフォーマット４（第２の制御情報）に従って第２の上りリンクデータを再送信（ａｄａｐｔｉｖｅ  ＨＡＲＱ）する。
【００６４】
つまり、移動局装置１は、上りリンクデータ送信が無効であると指示された上りリンクデータに対する再送信を指示する上りリンクグラントを検出した場合は、検出された上りリンクグラントに従って上りリンクデータ送信をａｄａｐｔｉｖｅ  ＨＡＲＱによって再開することができる。尚、移動局装置１は、上りリンクデータ送信が無効であると指示され、送信しなかった上りリンクデータに対するＰＨＩＣＨを受信しない。よって、移動局装置は、上りリンクデータ送信が無効であると指示された上りリンクデータの送信をｎｏｎ−ａｄａｐｔｉｖｅ  ＨＡＲＱによって再開することはできない。
【００６５】
移動局装置１は、あるＨＡＲＱプロセスにおいて最後に受信したＤＣＩフォーマット（ＨＡＲＱプロセスが記憶しているＤＣＩフォーマット）（例えばＤＣＩフォーマット０）が制御する上りリンクデータの数と、次に受信したＤＣＩフォーマット（例えばＤＣＩフォーマット４）が制御する上りリンクデータの数が異なる場合には、たとえ受信したＤＣＩフォーマット（例えばＤＣＩフォーマット４）が上りリンクデータの再送信を指示していたとしても、上りリンクデータを初期送信する。
【００６６】
例えば、移動局装置１は、単一の（１つの）ＰＵＳＣＨを用いた第１の上りリンクデータ送信（第１のＨＡＲＱプロセス）のみを制御するＤＣＩフォーマット０（第３の下りリンク制御情報）を検出した場合には、第１のＨＡＲＱプロセスによって第１の上りリンクデータを送信するとともに第２のＨＡＲＱプロセスによる上りリンクデータ送信（第２の上りリンクデータ送信）を無効とする。更に、移動局装置１は、第１のＨＡＲＱプロセスに対するＤＣＩフォーマット０を検出した後のサブフレームで第２のＨＡＲＱプロセスに対して初期送信または再送信を指示するＤＣＩフォーマット４を検出した場合は、たとえ第２のＨＡＲＱプロセスのＨＡＲＱバッファに上りリンクデータが記憶されていたとしても、新しい上りリンクデータを取得し、取得した上りリンクデータをＨＡＲＱプロセスに記憶し、検出されたＤＣＩフォーマット４に従って新しい上りリンクデータの初期送信を行ない、ＨＡＲＱプロセスにＮＡＣＫをセットする。
【００６７】
つまり、移動局装置１は、第１のＨＡＲＱプロセスと第２のＨＡＲＱプロセス両方のＨＡＲＱバッファに上りリンクデータが記憶されており、さらに第１のＨＡＲＱプロセスに対するＤＣＩフォーマット０を検出した場合は、ＤＣＩフォーマット０に基づいて第１のＨＡＲＱによる上りリンクデータ送信をし、第１のＨＡＲＱプロセスに対してＡＣＫをセットする。このとき、移動局装置１は第２のＨＡＲＱプロセスに対するＰＨＩＣＨを受信しない。よって、移動局装置は、ＤＣＩフォーマット０を検出した後に第２のＨＡＲＱプロセスによる上りリンクデータ送信をｎｏｎ−ａｄａｐｔｉｖｅ  ＨＡＲＱによって再開することはできない。
【００６８】
また、このとき、移動局装置１は、第２のＨＡＲＱプロセスのＨＡＲＱバッファをフラッシュしてもよいし、記憶されている上りリンクグラントを消去してもよいし、ＡＣＫをセットしてもよい。移動局装置１は、この第１の上りリンクデータ送信のみを制御するＤＣＩフォーマット０（第３の下りリンク制御情報）を検出した後に、ＤＣＩフォーマット４（第４の下りリンク制御情報）を検出し、検出したＤＣＩフォーマット４（第４の下りリンク制御情報）が第２のＨＡＲＱプロセスに対して初期送信または再送信を指示している場合には、第２のＨＡＲＱプロセスのＨＡＲＱバッファに保持されている第２の上りリンクデータを送信せずに、新たに取得した上りリンクデータ（第３の上りリンクデータ）の初期送信を行なう。
【００６９】
図５は、本発明の移動局装置１の構成を示す概略ブロック図である。図示するように、移動局装置１は、上位層処理部１０１、制御部１０３、受信部１０５、送信部１０７、送受信アンテナ１０９、および変換部１１１を含んで構成される。上位層処理部１０１は、無線リソース制御部１０１１、ＨＡＲＱ制御部１０１３とＨＡＲＱ記憶部１０１５を含んで構成される。図６は、本発明の変換部１１１の構成を示す概略ブロック図である。図示するように、変換部１１１は、上りリンクグラント分割部１１１１、第１のＨＡＲＱプロセスに対応するＨＡＲＱ情報変換部１１１３、第２のＨＡＲＱプロセスに対応するＨＡＲＱ情報変換部１１１５を含んで構成される。
【００７０】
上位層処理部１０１は、ユーザの操作等により生成された上りリンクデータを、送信部２０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。上位層処理部１０１が備える無線リソース制御部１０１１は、自装置の各種設定情報の管理を行なう。例えば、無線リソース制御部１０１１は、Ｃ−ＲＮＴＩなどのＲＮＴＩの管理を行なう。また、無線リソース制御部１０１１は、上りリンクの各チャネルに配置される情報を生成し、送信部１０７に出力する。
【００７１】
上位層処理部１０１が備えるＨＡＲＱ制御部１０１３は、上りリンクのＨＡＲＱプロセスの管理を行なう。上位層処理部１０１が備えるＨＡＲＱ記憶部１０１５は、ＨＡＲＱ制御部１０１３が管理する上りリンクのＨＡＲＱプロセスそれぞれに関連するＨＡＲＱバッファを有する。ＨＡＲＱ記憶部１０１５は、ＨＡＲＱプロセスそれぞれに関連する上りリンクグラントやＨＡＲＱフィードバック（ＡＣＫまたはＮＡＣＫ）を記憶する。尚、下りリンクのＨＡＲＱプロセスは、本発明と関連がないため説明を省略する。
【００７２】
ＨＡＲＱ制御部１０１３は、ＨＡＲＱプロセス毎に以下の動作をする。ＨＡＲＱ制御部１０１３は、ＰＵＳＣＨで送信される上りリンクデータをＨＡＲＱバッファに入力し、変換部１１１から入力されるＰＨＩＣＨで受信されたＨＡＲＱインディケータが示すＡＣＫまたはＮＡＣＫと、ＰＤＣＣＨで受信された上りリンクグラントをＨＡＲＱ記憶部１０１５に記憶させる。ＨＡＲＱ制御部１０１３は、ＨＡＲＱ記憶部１０１５に記憶させたＡＣＫまたはＮＡＣＫ、および上りリンクグラントに基づき、図４のフローチャート図に従ってＨＡＲＱの制御を行なう。
【００７３】
ＨＡＲＱ制御部１０１３は、ＰＵＳＣＨが送信される上りリンクのサブフレームの番号（タイミング）と、ＨＡＲＱプロセスを対応付ける。ＨＡＲＱ制御部１０１３は、下りリンクのサブフレーム内の複数のＰＨＩＣＨのうち、ＰＵＳＣＨの物理リソースブロックの割り当てと、ＰＵＳＣＨと時間多重される上りリンク参照信号のサイクリックシフトに関する上りリンクグラントに含まれる情報から、このＨＡＲＱプロセスに対応するＰＨＩＣＨを決定する。ＨＡＲＱ制御部１０１３は、上りリンクグラントが検出された下りリンクのサブフレームの番号（タイミング）および検出した上りリンクグラントのＤＣＩフォーマットの種類から、検出された上りリンクグラントが対応するＨＡＲＱプロセスを決定する。
【００７４】
変換部１１１は、受信部から入力されたＨＡＲＱインディケータと上りリンクグラントを変換して、変換したＨＡＲＱインディケータと上りリンクグラントを上位層処理部１０１のＨＡＲＱ制御部１０１３に出力する。変換部１１１が備える上りリンクグラント分割部１１１１は、受信部１０５からＤＣＩフォーマット０が入力された場合には、入力されたＤＣＩフォーマット０をＨＡＲＱ情報変換部１１１３へ出力する。
【００７５】
上りリンクグラント分割部１１１１は、受信部１０５からＤＣＩフォーマット４が入力された場合には、入力されたＤＣＩフォーマット４を第１のＨＡＲＱプロセスに対する上りリンクグラントと第２のＨＡＲＱプロセスに対する上りリンクグラントに分割し、第１のＨＡＲＱプロセスに対する上りリンクグラントをＨＡＲＱ情報変換部１１１３へ出力し、第２のＨＡＲＱプロセスに対する上りリンクグラントをＨＡＲＱ情報変換部１１１５へ出力する。
【００７６】
第１のＨＡＲＱプロセスに対する上りリンクグラントには、第１のＨＡＲＱプロセスに対するＭＣＳ＆ＲＶとＮＤＩ、およびResource block assignmentなどの、第２のＨＡＲＱプロセスに対するＭＣＳ＆ＲＶとＮＤＩ以外のＤＣＩフォーマット４に含まれる情報が含まれる。第２のＨＡＲＱプロセスに対する上りリンクグラントには、第２のＨＡＲＱプロセスに対するＭＣＳ＆ＲＶとＮＤＩ、およびResource block assignmentなどの、第１のＨＡＲＱプロセスに対するＭＣＳ＆ＲＶとＮＤＩ以外のＤＣＩフォーマット４に含まれる情報が含まれる。
【００７７】
上りリンクグラント分割部１１１１は、あるサブフレームに対応するＨＡＲＱプロセスに対して最後に受信した上りリンクグラント（例えばＤＣＩフォーマット０）が制御する上りリンクデータの数と、次に受信した上りリンクグラント（例えばＤＣＩフォーマット４）が制御する上りリンクデータの数とが異なる場合には、たとえ受信したＤＣＩフォーマット（例えばＤＣＩフォーマット４）が上りリンクデータの再送信を指示していたとしても、受信した再送信を指示する上りリンクグラントを初期送信を指示する上りリンクグラントに変換してＨＡＲＱ情報変換部１１１３および／またはＨＡＲＱ情報変換部１１１５に出力する。
【００７８】
変換部１１１が備えるＨＡＲＱ情報変換部１１１３は、受信部１０５から入力された第１のＨＡＲＱプロセスに対するＨＡＲＱインディケータと上りリンクグラント分割部１１１１から入力された第１のＨＡＲＱプロセスに対する上りリンクグラントを変換して、変換された第１のＨＡＲＱプロセスに対するＨＡＲＱインディケータおよび／または第１のＨＡＲＱプロセスに対する上りリンクグラントを第１のＨＡＲＱプロセスに出力する。
【００７９】
ＨＡＲＱ情報変換部１１１３は、入力された第１のＨＡＲＱプロセスに対する上りリンクグラントが上りリンクデータ送信の無効を指示している場合には、たとえＨＡＲＱインディケータが入力されていない、またはＨＡＲＱインディケータがＡＣＫを示していたとしても、第１のＨＡＲＱプロセスにＮＡＣＫを示すＨＡＲＱインディケータのみを出力する。
【００８０】
ＨＡＲＱ情報変換部１１１３は、入力された第１のＨＡＲＱプロセスに対する上りリンクグラントが上りリンクデータ送信の無効を指示していない、または第１のＨＡＲＱプロセスに対する上りリンクグラントが入力されなかった場合には、入力された第１のＨＡＲＱプロセスに対するＨＡＲＱインディケータおよび／または上りリンクグラントを、そのまま第１のＨＡＲＱプロセスに出力する。変換部１１１が備えるＨＡＲＱ情報変換部１１１５は、入力された第２のＨＡＲＱプロセスに対するＨＡＲＱインディケータおよび／または上りリンクグラントに対してＨＡＲＱ情報変換部１１１３と同じの処理を行い、変換された第２のＨＡＲＱプロセスに対するＨＡＲＱインディケータおよび／または第２のＨＡＲＱプロセスに対する上りリンクグラントを第２のＨＡＲＱプロセスに出力する。
【００８１】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。受信部１０５は、制御部１０３から入力された制御信号に従って、送受信アンテナ１０９を介して基地局装置３から受信した受信信号を、分離、復調、復号し、復号した情報を上位層処理部１０１に出力する。
【００８２】
受信部１０５は、制御部１０３から入力された制御信号に従って、送受信アンテナ１０９を介して基地局装置３から受信した受信信号を分離、復調、復号し、復号した情報を上位層処理部３０１に出力する。受信部１０５は、復号したＰＨＩＣＨに含まれるＨＡＲＱインディケータおよび／または復号したＰＤＣＣＨに含まれる上りリンクグラントを変換部１１１に出力する。受信部１０５は、復号したＰＤＣＣＨに含まれる上りリンクグラント以外の下りリンク制御情報および復号したＰＤＳＣＨに含まれる下りリンクデータを上位層処理部１０１に出力する。
【００８３】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００８４】
図７は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、ＨＡＲＱ制御部３０１３とＨＡＲＱ記憶部３０１５を含んで構成される。
【００８５】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置１各々の各種設定情報の管理をする。例えば、無線リソース制御部３０１１は、移動局装置１にＣ−ＲＮＴＩを割り当てるなどＲＮＴＩの管理を行なう。
【００８６】
上位層処理部３０１が備えるＨＡＲＱ制御部３０１３は、移動局装置１それぞれの上りリンクのＨＡＲＱプロセスの管理を行なう。上位層処理部３０１が備えるＨＡＲＱ記憶部３０１５は、ＨＡＲＱ制御部３０１３が管理する上りリンクのＨＡＲＱプロセスそれぞれに対応する複数のソフトバッファを有する。尚、下りリンクのＨＡＲＱプロセスは、本発明と関連がないため説明を省略する。ＨＡＲＱ制御部３０１３は、受信処理部３０５から入力されたＰＵＳＣＨで受信された上りリンクデータ（トランスポートブロック）をソフトバッファに入力し、上りリンクデータに付加された誤り検出符号（巡回冗長検査符号）を用いて上りリンクデータの復号に成功したか否かを判定する。
【００８７】
ＨＡＲＱ制御部３０１３は、上りリンクデータの復号に成功したと判定した場合は、ＡＣＫを示すＨＡＲＱインディケータを生成し、上りリンクデータの復号に失敗したと判定した場合は、ＮＡＣＫを示すＨＡＲＱインディケータを生成し、送信部３０７に出力する。ＨＡＲＱ制御部３０１３は、上りリンクデータの復号に失敗したと判定した場合は、無線リソース割当や変調方式および符号化率に関する情報を変更し、変更した情報を含む再送信を指示する上りリンクグラントを送信するよう、制御部３０３を介して、送信部３０７を制御してもよい。
【００８８】
ＨＡＲＱ制御部３０１３は、移動局装置１において再送信された上りリンクデータが受信部３０５から入力された場合は、ソフトバッファに記憶されている上りリンクデータと再送信された上りリンクデータを合成し、上りリンクデータの復号に成功したか否かを判定する。ＨＡＲＱ制御部３０１３は、移動局装置１がＰＵＳＣＨを送信する上りリンクのサブフレームの番号（タイミング）と、ＨＡＲＱプロセスの番号を対応付ける。
【００８９】
ＨＡＲＱ制御部３０１３は、あるＨＡＲＱプロセスに対して複数のＰＨＩＣＨのうち、ＰＵＳＣＨの物理リソースブロックの割り当てと、ＰＵＳＣＨと時間多重される上りリンク参照信号のサイクリックシフトに関する上りリンクグラントに含まれる情報から、このＨＡＲＱプロセスに対応するＡＣＫ／ＮＡＣＫを送信するために用いられるＰＨＩＣＨを決定する。
【００９０】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００９１】
受信部３０５は、制御部３０３から入力された制御信号に従って、送受信アンテナ３０９を介して移動局装置１から受信した受信信号（ＰＵＣＣＨ、ＰＵＳＣＨ）を分離、復調、復号し、復号した情報を上位層処理部３０１に出力する。送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【００９２】
このように、本発明によれば、上りリンクデータ送信の無効を指示する上りリンクグラントを受信した際に、たとえＮＡＣＫを示すＨＡＲＱインディケータを受信しても、この上りリンクデータ送信を無効にし、この上りリンクデータが対応するＨＡＲＱプロセスにＡＣＫをセットする。これにより、確実にこの上りリンクデータ送信を止めることができる。
【００９３】
また、本発明によれば、最後に受信した上りリンクグラント（例えばＤＣＩフォーマット０）が制御する上りリンクデータの数と、次に受信した上りリンクグラント（例えばＤＣＩフォーマット４）が制御する上りリンクデータの数とが異なる場合には、たとえ受信した上りリンクグラントが再送信を指示していても、上りリンクデータの初期送信を行なう。これにより、単一のサブフレームに対応する第１のＨＡＲＱプロセスと第２のＨＡＲＱプロセスが異なる上りリンクグラントに従って上りリンクデータを送信することで、同時に異なる無線リソースで異なる上りリンクデータが送信することを回避することができる。
【００９４】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【００９５】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。尚、ここでいう「コンピュータシステム」とは、移動局装置１、又は基地局装置３に内蔵されたコンピュータシステムであって、ＯＳや周辺機器等のハードウェアを含むものとする。
【００９６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９７】
また、上述した実施形態における移動局装置１、基地局装置３の一部、又は全部を典型的には集積回路であるＬＳＩとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００９８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００９９】
本発明の一様態においては、（１）本発明の移動局装置は、基地局装置と通信する移動局装置であって、物理上りリンク共用チャネルを用いた複数の上りリンクデータ送信を制御する下りリンク制御情報を検出し、前記下りリンク制御情報が前記上りリンクデータ送信の無効を指示している場合には、前記上りリンクデータ送信を無効とし、前記上りリンクデータ送信に対応するＨＡＲＱプロセスにＡＣＫをセットすることを特徴としている。
【０１００】
（２）また、本発明の移動局装置は、基地局装置と通信する移動局装置であって、物理上りリンク共用チャネルを用いた複数の上りリンクデータ送信を制御する下りリンク制御情報を検出し、前記下りリンク制御情報が、前記上りリンクデータ送信の無効を指示し、且つ、前記上りリンクデータに対する再送信を要求する応答情報を受信した場合には、前記上りリンクデータ送信を無効とすることを特徴としている。
【０１０１】
（３）また、本発明は、上記の移動局装置において、前記上りリンクデータ送信に対応するＨＡＲＱプロセスのＨＡＲＱバッファの内容を保持することを特徴としている。
【０１０２】
（４）また、本発明の移動局装置は、基地局装置と通信する移動局装置であって、物理上りリンク共用チャネルを用いた第１および第２の上りリンクデータ送信を制御する第１の下りリンク制御情報を検出し、前記第１の下りリンク制御情報が前記第２の上りリンクデータ送信の無効を指示している場合には、前記第２の上りリンクデータ送信を無効とするとともに、前記第２の上りリンクデータに対応するＨＡＲＱプロセスのＨＡＲＱバッファに前記第２の上りリンクデータを保持し、前記第１の下りリンク制御情報を検出した後に、前記第２の上りリンクデータに対する再送信を指示する第２の下りリンク制御情報を検出した場合には、前記第２の上りリンクデータを再送信することを特徴としている。
【０１０３】
（５）また、本発明は、上記の移動局装置において、物理上りリンク共用チャネルを用いた前記第１の上りリンクデータ送信のみを制御する第３の下りリンク制御情報を検出した場合には、前記第１の上りリンクデータを送信するとともに前記第２の上りリンクデータ送信を無効とし、前記第３の下りリンク制御情報を検出した後に、第４の下りリンク制御情報を検出し、前記第４の下りリンク制御情報が、前記第２の上りリンクデータに対応するＨＡＲＱプロセスに対して初期送信または再送信を指示している場合には、第３の上りリンクデータの初期送信を行うことを特徴としている。
【０１０４】
（６）また、本発明の移動局装置は、基地局装置と通信する移動局装置であって、最後に受信した第５の下りリンク制御情報が制御する上りリンクデータの数と、次に受信した第６の下りリンク制御情報が制御する上りリンクデータの数が異なる場合には、前記第６の下りリンク制御情報が上りリンクデータの再送信を指示していても、上りリンクデータを初期送信することを特徴としている。
【０１０５】
（７）また、本発明の無線通信方法は、基地局装置と通信する移動局装置に用いられる無線通信方法であって、物理上りリンク共用チャネルを用いた複数の上りリンクデータ送信を制御する下りリンク制御情報を検出する手段と、前記下りリンク制御情報が前記上りリンクデータ送信の無効を指示している場合には、前記上りリンクデータ送信を無効とし、前記上りリンクデータ送信に対応するＨＡＲＱプロセスにＡＣＫをセットする手段を有することを特徴としている。
【０１０６】
（８）また、本発明の無線通信方法は、基地局装置と通信する移動局装置に用いられる無線通信方法であって、物理上りリンク共用チャネルを用いた複数の上りリンクデータ送信を制御する下りリンク制御情報を検出する手段と、前記下りリンク制御情報が、前記上りリンクデータ送信の無効を指示し、且つ、前記上りリンクデータに対する再送信を要求する応答情報を受信した場合には、前記上りリンクデータ送信を無効とする手段を有することを特徴としている。
【０１０７】
（９）また、本発明は、上記の無線通信方法において、前記上りリンクデータ送信に対応するＨＡＲＱプロセスのＨＡＲＱバッファの内容を保持する手段を有することを特徴としている。
【０１０８】
（１０）また、本発明の無線通信方法は、基地局装置と通信する移動局装置に用いられる無線通信方法であって、物理上りリンク共用チャネルを用いた第１および第２の上りリンクデータ送信を制御する第１の下りリンク制御情報を検出する手段と、前記第１の下りリンク制御情報が前記第２の上りリンクデータ送信の無効を指示している場合には、前記第２の上りリンクデータ送信を無効とするとともに、前記第２の上りリンクデータに対応するＨＡＲＱプロセスのＨＡＲＱバッファに前記第２の上りリンクデータを保持する手段と、前記第１の下りリンク制御情報を検出した後に、前記第２の上りリンクデータに対する再送信を指示する第２の下りリンク制御情報を検出した場合には、前記第２の上りリンクデータを再送信する手段を有することを特徴としている。
【０１０９】
（１１）また、本発明は、上記の無線通信方法において、物理上りリンク共用チャネルを用いた前記第１の上りリンクデータ送信のみを制御する第３の下りリンク制御情報を検出した場合には、前記第１の上りリンクデータを送信するとともに前記第２の上りリンクデータ送信を無効とする手段と、前記第３の下りリンク制御情報を検出した後に、第４の下りリンク制御情報を検出する手段と、前記第４の下りリンク制御情報が、前記第２の上りリンクデータに対応するＨＡＲＱプロセスに対して初期送信または再送信を指示している場合には、第３の上りリンクデータの初期送信を行う手段を有することを特徴としている。
【０１１０】
（１２）また、本発明の無線通信方法は、基地局装置と通信する移動局装置に用いられる無線通信方法であって、最後に受信した第５の下りリンク制御情報が制御する上りリンクデータの数と、次に受信した第６の下りリンク制御情報が制御する上りリンクデータの数が異なる場合には、前記第６の下りリンク制御情報が上りリンクデータの再送信を指示していても、上りリンクデータを初期送信する手段を有することを特徴としている。
【０１１１】
（１３）また、本発明の集積回路は、基地局装置と通信する移動局装置に用いられる集積回路であって、物理上りリンク共用チャネルを用いた複数の上りリンクデータ送信を制御する下りリンク制御情報を検出する手段と、前記下りリンク制御情報が前記上りリンクデータ送信の無効を指示している場合には、前記上りリンクデータ送信を無効とし、前記上りリンクデータ送信に対応するＨＡＲＱプロセスにＡＣＫをセットする手段と、を含む一連の手段が実行可能にチップ化されたことを特徴としている。
【０１１２】
（１４）また、本発明の集積回路は、基地局装置と通信する移動局装置に用いられる集積回路であって、物理上りリンク共用チャネルを用いた複数の上りリンクデータ送信を制御する下りリンク制御情報を検出する手段と、前記下りリンク制御情報が、前記上りリンクデータ送信の無効を指示し、且つ、前記上りリンクデータに対する再送信を要求する応答情報を受信した場合には、前記上りリンクデータ送信を無効とする手段と、を含む一連の手段が実行可能にチップ化されたことを特徴としている。
【０１１３】
（１５）また、本発明は、上記の集積回路において、さらに、前記上りリンクデータ送信に対応するＨＡＲＱプロセスのＨＡＲＱバッファの内容を保持する手段と、を含む一連の手段が実行可能にチップ化されたことを特徴としている。
【０１１４】
（１６）また、本発明の集積回路は、基地局装置と通信する移動局装置に用いられる集積回路であって、物理上りリンク共用チャネルを用いた第１および第２の上りリンクデータ送信を制御する第１の下りリンク制御情報を検出する手段と、前記第１の下りリンク制御情報が前記第２の上りリンクデータ送信の無効を指示している場合には、前記第２の上りリンクデータ送信を無効とするとともに、前記第２の上りリンクデータに対応するＨＡＲＱプロセスのＨＡＲＱバッファに前記第２の上りリンクデータを保持する手段と、前記第１の下りリンク制御情報を検出した後に、前記第２の上りリンクデータに対する再送信を指示する第２の下りリンク制御情報を検出した場合には、前記第２の上りリンクデータを再送信する手段と、を含む一連の手段が実行可能にチップ化されたことを特徴としている。
【０１１５】
（１７）また、本発明は、上記の集積回路において、さらに、物理上りリンク共用チャネルを用いた前記第１の上りリンクデータ送信のみを制御する第３の下りリンク制御情報を検出した場合には、前記第１の上りリンクデータを送信するとともに前記第２の上りリンクデータ送信を無効とする手段と、前記第３の下りリンク制御情報を検出した後に、第４の下りリンク制御情報を検出する手段と、前記第４の下りリンク制御情報が、前記第２の上りリンクデータに対応するＨＡＲＱプロセスに対して初期送信または再送信を指示している場合には、第３の上りリンクデータの初期送信を行う手段と、を含む一連の手段が実行可能にチップ化されたことを特徴としている。
【０１１６】
（１８）また、本発明の集積回路は、基地局装置と通信する移動局装置に用いられる集積回路であって、最後に受信した第５の下りリンク制御情報が制御する上りリンクデータの数と、次に受信した第６の下りリンク制御情報が制御する上りリンクデータの数が異なる場合には、前記第６の下りリンク制御情報が上りリンクデータの再送信を指示していても、上りリンクデータを初期送信する手段が実行可能にチップ化されたことを特徴としている。
【符号の説明】
【０１１７】
１（１Ａ、１Ｂ、１Ｃ）  移動局装置
３  基地局装置
１０１  上位層処理部
１０１１  無線リソース制御部
１０１３  ＨＡＲＱ制御部
１０１５  ＨＡＲＱ記憶部
１０３  制御部
１０５  受信部
１０７  送信部
１１１  変換部
１１１１  上りリンクグラント分割部
１１１３  ＨＡＲＱ情報変換部
１１１５  ＨＡＲＱ情報変換部
３０１  上位層処理部
３０１１  無線リソース制御部
３０１３  ＨＡＲＱ制御部
３０１５  ＨＡＲＱ記憶部
３０３  制御部
３０５  受信部
３０７  送信部
【図１】
2014140218.tif 000003
【図２】
2014140218.tif 000004
【図３】
2014140218.tif 000005
【図４】
2014140218.tif 000006
【図５】
2014140218.tif 000007
【図６】
2014140218.tif 000008
【図７】
2014140218.tif 000009